(57)【要約】【課題】  本発明は地下水排出穴が形成された部位に汚染された土壌がある場合に、該汚染された土壌部位の地下水を該部より排水して、汚染された土壌の拡散を効率よく防止することができるライザーパイプを得るにある。【解決手段】  上下部にジョイント接続部が形成されたストレーナー接続パイプ本体、このストレーナー接続パイプ本体に形成された複数個の地下水の流入が可能なスリット、前記ストレーナー接続パイプ本体の外周部を覆うように取付けられた濾過網とからなる複数本のストレーナー接続パイプと、この複数本のストレーナー接続パイプを直線状に接続する複数個のジョイントと、前記先端部のストレーナー接続パイプにジョイントを介して取付けられたウエルポイントとでライザーパイプを構成している。【選択図】  図１
2008025128.tif 000002
【特許請求の範囲】
【請求項１】
上下部にジョイント接続部が形成されたストレーナー接続パイプ本体、このストレーナー接続パイプ本体に形成された複数個の地下水の流入が可能なスリット、前記ストレーナー接続パイプ本体の外周部を覆うように取付けられた濾過網とからなる複数本のストレーナー接続パイプと、この複数本のストレーナー接続パイプを直線状に接続する複数個のジョイントと、前記先端部のストレーナー接続パイプにジョイントを介して取付けられたウエルポイントとからなることを特徴とするライザーパイプ。
【請求項２】
複数本の接続パイプをジョイントで直線状に接続したライザーパイプ本体と、このライザーパイプ本体の先端部にジョイントで接続されたウエルポイントと、前記ライザーパイプ本体のあらかじめ設定された部位にジョイントで接続された上下部にジョイント接続部が形成されたストレーナー接続パイプ本体、このストレーナー接続パイプ本体に形成された複数個の地下水の流入が可能なスリット、前記ストレーナー接続パイプ本体の外周部を覆うように取付けられた濾過網とからなるストレーナー接続パイプとからなることを特徴とするライザーパイプ。
【発明の詳細な説明】
【技術分野】
【０００１】
本発明は地下水面以下の掘削工事等を行なう場合の地下水位低下工法で使用されるライザーパイプに関する。
【背景技術】
【０００２】
従来、この種の地下水位低下工法はウエルポイント工法と称され、地下水位を低下させたい部位の地盤に、ボーリングで地下水排出穴を形成し、該地下水排出穴内に先端部にウエルポイントが取付けられた複数本の接続パイプをジョイントで接続したライザーパイプを挿入し、該ライザーパイプ内に圧送した打ち込み水をウエルポイントより外部へ排水しながら底部へ打ち込み、ライザーパイプ内へウエルポイントより浸入した地下水を外部へ排水して行なっていた。
【０００３】
このため、地下水の排水はすべて地下水排出穴の底面近傍のウエルポイントより浸入したものが排水されることとなる。このため、地下水排出穴の底面より上部位置に汚染された土壌がある場合、該汚染された土壌によって汚染された地下水が汚染されていない土壌を通過して排水されることとなり、汚染された土壌を増してしまうという欠点があった。
【特許文献１】特開平８−１３４６４
【発明の開示】
【発明が解決しようとする課題】
【０００４】
本発明は以上のような従来の欠点に鑑み、地下水排出穴が形成された部位に汚染された土壌がある場合に、該汚染された土壌部位の地下水を該部位より排水して、汚染された土壌の拡散を効率よく防止することができるライザーパイプを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は上下部にジョイント接続部が形成されたストレーナー接続パイプ本体、このストレーナー接続パイプ本体に形成された複数個の地下水の流入が可能なスリット、前記ストレーナー接続パイプ本体の外周部を覆うように取付けられた濾過網とからなる複数本のストレーナー接続パイプと、この複数本のストレーナー接続パイプを直線状に接続する複数個のジョイントと、前記先端部のストレーナー接続パイプにジョイントを介して取付けられたウエルポイントとでライザーパイプを構成している。
【０００７】
本発明は複数本の接続パイプをジョイントで直線状に接続したライザーパイプ本体と、このライザーパイプ本体の先端部にジョイントで接続されたウエルポイントと、前記ライザーパイプ本体のあらかじめ設定された部位にジョイントで接続された上下部にジョイント接続部が形成されたストレーナー接続パイプ本体、このストレーナー接続パイプ本体に形成された複数個の地下水の流入が可能なスリット、前記ストレーナー接続パイプ本体の外周部を覆うように取付けられた濾過網とからなるストレーナー接続パイプとでライザーパイプを構成している。
【発明の効果】
【０００８】
以上の説明から明らかなように、本発明にあっては次に列挙する効果が得られる。
【０００９】
（１）上下部にジョイント接続部が形成されたストレーナー接続パイプ本体、このストレーナー接続パイプ本体に形成された複数個の地下水の流入が可能なスリット、前記ストレーナー接続パイプ本体の外周部を覆うように取付けられた濾過網とからなる複数本のストレーナー接続パイプと、この複数本のストレーナー接続パイプを直線状に接続する複数個のジョイントと、前記先端部のストレーナー接続パイプにジョイントを介して取付けられたウエルポイントとで構成されているので、ウエルポイントとストレーナー接続パイプより流入する地下水を排水することができる。
したがって、汚染された土壌部位があっても、該部位のストレーナ接続パイプより汚染された土壌部位の地下水を該部位より排水できる。このため、汚染されていない土壌部位を汚染された地下水が通過しないため、汚染された土壌が拡散するのを防止することができる。
【００１０】
（２）前記（１）によって、ストレーナー接続パイプを用いるだけでよいので、容易に実施することができる。
【００１１】
（３）前記（１）によって、ストレーナー接続パイプより空気が流入する場合には、排水パイプを内部に挿入して流入した地下水を排水することができるので、排水は容易で、確実に行なうことができる。
【００１２】
（４）請求項２も汚染された土壌部位にストレーナー接続パイプが位置するように設定することで、前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図１０に示す本発明を実施するための最良の第１の形態において、１は本発明のライザーパイプで、このライザーパイプ１は複数本のストレーナー接続パイプ２を複数本のジョイント３で接続したライザーパイプ本体４と、このライザーパイプ本体４の先端部にジョイント３で接続されたウエルポイント５とで構成されている。
【００１５】
前記ストレーナー接続パイプ２は上下端部にジョイント接続部６、６が形成されたストレーナー接続パイプ本体７と、このストレーナー接続パイプ本体７に形成された多数個の地下水が流入が可能な透孔、本実施の形態ではスリット８と、前記ストレーナー接続パイプ本体７の外周部に所定間隔で軸心方向に固定された複数本の濾過網支持バー９と、この複数本の濾過網支持バー９を覆うように固定された筒状の濾過網１０とで構成されている。
【００１６】
前記ウエルポイント５は後端部にジョイント接続部６が形成され、順次小径となり、複数個の打ち込み水排出孔１１が形成されたウエルポイント本体１２と、このウエルポイント本体１２に形成された打ち込み水の排出および地下水の流入が可能な複数個の透孔１３と、前記ウエルポイント本体１２の外周部に軸心方向に所定間隔で固定された複数本の濾過網支持バー１４と、この複数本の濾過網支持バー１４を覆うように固定された筒状の濾過網１５とで構成されている。
【００１７】
上記構成のライザーパイプ１は図８に示すように、地下水位を低下させて掘削工事等を行なう地盤１６にボーリングで形成した地下水排出穴１７に挿入し、タービンポンプ１８に、スイングジョイント２１、ヘッダーパイプ２３、Ｔ字パイプ２６、バルブ２７、耐圧ホース２８を介して接続するとともに、前記スイングジョイント２１に接続された給水パイプ１９をライザーパイプ１のウエルポイント５近傍へ打ち込み水を供給できるように挿入して、タービンポンプ１８で打ち込み水をウエルポイント５へ供給することにより、該ウエルポイント５の複数個の打ち込み水排出孔１１および複数個の透孔１３より地下水排出穴１７へ排水して、該部位の土砂を移動させ、ウエルポイント５が地下水排出穴１７の底面へ位置するように打ち込む。
しかる後、ライザーパイプ１内に排水パイプ２０を挿入し、該排水パイプ２０をスイングジョイント２１、ヘッダーパイプ２３、Ｔ字パイプ２６、バルブ２９を介してプラントポンプ２２に接続し、プラントポンプ２２の駆動によりヘッダーパイプ２３、スイングジョイント２１を介して排水パイプ２０でライザーパイプ１内に流入した地下水を揚水して排水する。
【００１８】
この時、地下水排出穴１７が形成された部位に汚染された土壌２４がある場合には、図９に示すように該部位に排水パイプ２０の端部を位置させて排水することにより、汚染された土壌部位の地下水を、汚染されていない土壌を通過させることなく排水することができる。
また、汚染された土壌がない通常状態では排水パイプ２０の端部をウエルポイント５近傍に位置させて排水する。
[発明を実施するための異なる形態]
【００１９】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１１ないし図１３に示す本発明を実施するための第２の形態において、前記本発明を実施するための最良の第１の形態と主に異なる点は、複数本のスリットが形成されていない接続パイプ２５をジョイント３で接続したライザーパイプ本体４Ａと、このライザーパイプ本体４Ａの所定位置にストレーナー接続パイプ２をジョイント３、３で接続した点で、このように構成したライザーパイプ１Ａにしても、前記本発明を実施するための最良の第１の形態と同様な作用効果が得られる。
【００２１】
図１４ないし図１６に示す本発明を実施するための第３の形態において、前記本発明を実施するための第２の形態と主に異なる点は、ライザーパイプ本体４Ａ  の異なる所定位置にストレーナー接続パイプ２、２をジョイント３、３で接続した点で、このように構成したライザーパイプ１Ｂにしても、前記本発明を実施するための第２の形態と同様な作用効果が得られる。
【産業上の利用可能性】
【００２２】
本発明は地下水位を低下させて掘削工事等を行なう場合に使用されるライザーパイプの製造産業で利用される。
【図面の簡単な説明】
【００２３】
【図１】本発明を実施するための最良の第１の形態の正面図。
【図２】図１の２−２線に沿う断面図。
【図３】本発明を実施するための最良の第１の形態のストレーナー接続パイプの正面図。
【図４】本発明を実施するための最良の第１の形態のストレーナー接続パイプの平面図。
【図５】図４の５−５線に沿う断面図。
【図６】本発明を実施するための最良の第１の形態のウエルポイントの正面図。
【図７】図６の７−７線に沿う断面図。
【図８】本発明を実施するための最良の第１の形態の打ち込み時の説明図。
【図９】本発明を実施するための最良の第１の形態の汚染された土壌部位の排水時の説明図。
【図１０】本発明を実施するための最良の第１の形態の通常の排水時の説明図。
【図１１】本発明を実施するための第２の形態の正面図。
【図１２】図１１の１２−１２線に沿う断面図。
【図１３】本発明を実施するための第２の形態の排水時の説明図。
【図１４】本発明を実施するための第３の形態の正面図。
【図１５】図１４の１５−１５線に沿う断面図。
【図１６】本発明を実施するための第３の形態の排水時の説明図。
【符号の説明】
【００２４】
１、１Ａ、１Ｂ：ライザーパイプ、
２：ストレーナー接続パイプ、    ３：ジョイント、
４、４Ａ：ライザーパイプ本体、  ５：ウエルポイント、    
６：ジョイント接続部、          ７：ストレーナー接続パイプ本体、
８：スリット、                  ９：濾過網支持バー、
１０：濾過網、                  １１：排出孔、
１２：ウエルポイント本体、      １３：透孔、
１４：濾過網支持バー、          １５：濾過網、
１６：地盤、                    １７：地下水排出穴、
１８：タービンポンプ、          １９：給水パイプ、
２０：排水パイプ、              ２１：スイングジョイント、
２２：プラントポンプ、          ２３：ヘッダーパイプ、
２４：汚染された土壌、          ２５：接続パイプ、
２６：Ｔ字パイプ、              ２７：バルブ、
２８：耐圧ホース、              ２９：バルブ。
【図１】
2008025128.tif 000003
【図２】
2008025128.tif 000004
【図３】
2008025128.tif 000005
【図４】
2008025128.tif 000006
【図５】
2008025128.tif 000007
【図６】
2008025128.tif 000008
【図７】
2008025128.tif 000009
【図８】
2008025128.tif 000010
【図９】
2008025128.tif 000011
【図１０】
2008025128.tif 000012
【図１１】
2008025128.tif 000013
【図１２】
2008025128.tif 000014
【図１３】
2008025128.tif 000015
【図１４】
2008025128.tif 000016
【図１５】
2008025128.tif 000017
【図１６】
2008025128.tif 000018